(57)【特許請求の範囲】
【請求項１】
本体枠と、
遊技に関する制御を行う電気部材と電気的に接続可能な接続部材を設けた第１電気部材と、
前記第１電気部材の前記接続部材と電気的に接続される第２電気部材と、
前記第１電気部材を収納する収納部材と、
前記収納部材を前記本体枠に取り付けるために前記本体枠に設けられたベース部材と、
前記ベース部材に取り付けられた前記収納部材に収納された前記第１電気部材の少なくとも一部を覆うカバー部材とを備えた遊技機において、
前記収納部材は係合部を形成すると共に前記ベース部材は前記係合部と係合する被係合部を形成し、
前記収納部材が、前記収納部材の前記係合部と前記ベース部材の前記被係合部が係合していない第１状態から前記収納部材の前記係合部と前記ベース部材の前記被係合部が係合する第２状態に変位することによって、前記収納部材が前記ベース部材に係合し、
前記本体枠は、前記収納部材が第２状態のときに前記収納部材の第１状態への変位を規制するため、前記収納部材の一端を固定する可動部材が設けられ、
前記可動部材は、前記収納部材を第２状態で固定する固定位置と前記収納部材を第２状態あるいは第１状態へ変位可能とする非固定位置に移動可能であり、
前記カバー部材は、前記収納部材あるいは前記本体枠の少なくとも一方に取り付け可能に構成され、前記カバー部材を取り付けた際に前記可動部材が固定位置から非固定位置へ移動することを規制する規制部を備え、
前記可動部材の固定位置と非固定位置との移動が、前記収納部材の第１状態と第２状態との間の変位の方向と異なる方向に移動可能とする構成であることを特徴とする遊技機。
【請求項２】
前記可動部材は切り欠き部を有し、前記カバー部材を前記収納部材に係止するとき前記規制部は前記可動部材の前記切り欠き部に位置することによって、前記可動部材の固定位置から非固定位置への移動を規制することを特徴とする請求項１に記載の遊技機。
【請求項３】
前記可動部材は、前記収納部材を第２状態で固定するために前記収納部材の端部に設けられた固定片を挟持する挟持部を備えたことを特徴とする請求項１または２に記載の遊技機。
【請求項４】
前記挟持部は、前記カバー部材を取り付けた際に可動部材固定位置から非固定位置に移動しようとするときに前記規制部と当接する当接部を備えたことを特徴とする請求項３項に記載の遊技機。
【請求項５】
前記カバー部材は、前記可動部材が固定位置にある状態の際に取り付け可能に構成され、前記可動部材が非固定位置にある状態では前記規制部が前記挟持部に接触することで取り付けが困難になる構成であることを特徴とする請求項３または４項に記載の遊技機。
【請求項６】
前記収納部材は、端部に第１の固定片及び第２の固定片を設けており、
前記可動部材は、前記第１の固定片及び前記第２の固定片を挟持するための第１の挟持部及び第２の挟持部をそれぞれ備えると共に、前記第１の挟持部と前記第２の挟持部の間に前記第１の固定片が移動可能な切り欠き部を備え、
前記収納部材が第１状態の際、前記可動部材が前記固定位置にある状態では前記第１の固定片が前記第１の挟持部に当接することにより第２状態への変位を困難にする一方、前記可動部材が前記非固定位置にある状態では前記固定片が前記切り欠き部に位置することによって前記収納部材を第２状態へ変位可能になるように構成したことを特徴とする請求項１に記載の遊技機。
【請求項７】
前記可動部材が非固定位置にある状態では前記第２の挟持部が前記第１の固定片を摺動させる摺接面を構成することを特徴とする請求項６項に記載の遊技機。
【請求項８】
前記第２の挟持部は、カバー部材を取り付けた際に可動部材固定位置から非固定位置に移動しようとすると前記規制部と当接する当接部を備えたことを特徴とする請求項６に記載の遊技機。
【請求項９】
前記カバー部材は、前記可動部材が固定位置にある状態の際に前記規制部が前記可動部材の切り欠き部に位置することで取り付け可能に構成され、前記可動部材が非固定位置にある状態では前記規制部が前記第２の挟持部に接触することで取り付けが困難になる構成であることを特徴とする請求項６ないし８のいずれか１項に記載の遊技機。
【請求項１０】
前記本体枠は前記可動部材をスライド移動可能に保持するレール部を備えることを特徴とする請求項１ないし９のいずれか１項に記載の遊技機。
【請求項１１】
前記可動部材は固定位置と非固定位置との移動を容易にする指掛け部を備えることを特徴とする請求項１ないし１０のいずれか１項に記載の遊技機。
【請求項１２】
前記本体枠は前記可動部材が固定位置と非固定位置を移動する際の抵抗となる乗り越え段部を備えることを特徴とする請求項１ないし１１のいずれか１項に記載の遊技機。
【請求項１３】
前記本体枠は前記カバー部材を固着可能とする固着部を備え、
前記カバー部材は、前記収納部材が前記第２状態のときに前記収納部材に係止可能な係止部を備えると共に前記本体枠の固着部に固着可能な被固着部を備えたことを特徴とする請求項１ないし１２に記載の遊技機。
【発明の詳細な説明】
【技術分野】
【０００１】
本発明は、遊技機に関し、特に遊技機背面に装着されている電気部材（基板）を収納する収納部材（制御基板ケース）の不用意な脱離を防ぐことができる遊技機に関する。
【背景技術】
【０００２】
パチンコ遊技機等の遊技機においては、遊技盤の背面側に遊技球の排出通路、各種の電気部材（基板）が備えられている。遊技機では排出通路の保守、点検、電気部材の交換が必要となる。このことから、保守、点検、電気部材交換の作業の簡素化が求められる。そこで、排出通路の背面に設けられた電気部材を内部に収納する収納部材を排出通路の内部が露呈できる位置まで開閉自在に移動できる遊技機が提案されている。
【０００３】
前記の遊技機において、収納部材自体あるいは遊技盤には、開閉自在な構造を有した収納部材がさらに備えられることがある。当該収納部材が閉じた位置に移動した際に、遊技盤等に収納部材を固定するための可動部材（スライドレバー）が備えられ、簡易に収納部材を、収納部材あるいは遊技盤に固定可能とする遊技機も提案されている（例えば、特許文献１等参照）。
【０００４】
しかしながら、従前の遊技機によると、遊技機本体を設置のために移動する場合や、保守、点検の際に倒してしまう場合があり、遊技機に予期せぬ衝撃が加わることがある。そのため、収納部材と、収納部材あるいは遊技盤との固定に用いるスライドレバー等の部材が解除され、不意に収納部材が本来の取り付け位置から脱離してしまうおそれがある。
【０００５】
そこで、遊技機に衝撃が加わることによって、前記のスライドレバー等の収納部材を遊技機側に固定する部材がずれ、不意に収納部材が遊技機から外れてしまうことへの対策を講じた遊技機が望まれるに至った。
【先行技術文献】
【特許文献】
【０００６】
【特許文献１】特開２００８−１８８１００号公報
【発明の概要】
【発明が解決しようとする課題】
【０００７】
本発明は、上記状況に鑑み提案されたものであり、遊技機の背面側に装着される収納部材が、遊技機に生じた衝撃により安易に脱離することを防止する構造を備えた遊技機を提供する。
【課題を解決するための手段】
【０００８】
すなわち、請求項１の発明は、本体枠と、遊技に関する制御を行う電気部材と電気的に接続可能な接続部材を設けた第１電気部材と、前記第１電気部材の前記接続部材と電気的に接続される第２電気部材と、前記第１電気部材を収納する収納部材と、前記収納部材を前記本体枠に取り付けるために前記本体枠に設けられたベース部材と、前記ベース部材に取り付けられた前記収納部材に収納された前記第１電気部材の少なくとも一部を覆うカバー部材とを備えた遊技機において、前記収納部材は係合部を形成すると共に前記ベース部材は前記係合部と係合する被係合部を形成し、前記収納部材が、前記収納部材の前記係合部と前記ベース部材の前記被係合部が係合していない第１状態から前記収納部材の前記係合部と前記ベース部材の前記被係合部が係合する第２状態に変位することによって、前記収納部材が前記ベース部材に係合し、前記本体枠は、前記収納部材が第２状態のときに前記収納部材の第１状態への変位を規制するため、前記収納部材の一端を固定する可動部材が設けられ、前記可動部材は、前記収納部材を第２状態で固定する固定位置と前記収納部材を第２状態あるいは第１状態へ変位可能とする非固定位置に移動可能であり、前記カバー部材は、前記収納部材あるいは前記本体枠の少なくとも一方に取り付け可能に構成され、前記カバー部材を取り付けた際に前記可動部材が固定位置から非固定位置へ移動することを規制する規制部を備え、前記可動部材の固定位置と非固定位置との移動が、前記収納部材の第１状態と第２状態との間の変位の方向と異なる方向に移動可能とする構成であることを特徴とする遊技機に係る。
【０００９】
請求項２の発明は、前記可動部材は切り欠き部を有し、前記カバー部材を前記収納部材に係止するとき前記規制部は前記可動部材の前記切り欠き部に位置することによって、前記可動部材の固定位置から非固定位置への移動を規制することを特徴とする請求項１に記載の遊技機に係る。
【００１０】
請求項３の発明は、前記可動部材は、前記収納部材を第２状態で固定するために前記収納部材の端部に設けられた固定片を挟持する挟持部を備えたことを特徴とする請求項１または２に記載の遊技機に係る。
【００１１】
請求項４の発明は、前記挟持部は、前記カバー部材を取り付けた際に可動部材固定位置から非固定位置に移動しようとするときに前記規制部と当接する当接部を備えたことを特徴とする請求項３項に記載の遊技機に係る。
【００１２】
請求項５の発明は、前記カバー部材は、前記可動部材が固定位置にある状態の際に取り付け可能に構成され、前記可動部材が非固定位置にある状態では前記規制部が前記挟持部に接触することで取り付けが困難になる構成であることを特徴とする請求項３または４項に記載の遊技機に係る。
【００１３】
請求項６の発明は、前記収納部材は、端部に第１の固定片及び第２の固定片を設けており、前記可動部材は、前記第１の固定片及び前記第２の固定片を挟持するための第１の挟持部及び第２の挟持部をそれぞれ備えると共に、前記第１の挟持部と前記第２の挟持部の間に前記第１の固定片が移動可能な切り欠き部を備え、前記収納部材が第１状態の際、前記可動部材が前記固定位置にある状態では前記第１の固定片が前記第１の挟持部に当接することにより第２状態への変位を困難にする一方、前記可動部材が前記非固定位置にある状態では前記固定片が前記切り欠き部に位置することによって前記収納部材を第２状態へ変位可能になるように構成したことを特徴とする請求項１に記載の遊技機に係る。
【００１４】
請求項７の発明は、前記可動部材が非固定位置にある状態では前記第２の挟持部が前記第１の固定片を摺動させる摺接面を構成することを特徴とする請求項６項に記載の遊技機に係る。
【００１５】
請求項８の発明は、前記第２の挟持部は、カバー部材を取り付けた際に可動部材固定位置から非固定位置に移動しようとすると前記規制部と当接する当接部を備えたことを特徴とする請求項６に記載の遊技機に係る。
【００１６】
請求項０９の発明は、前記カバー部材は、前記可動部材が固定位置にある状態の際に前記規制部が前記可動部材の切り欠き部に位置することで取り付け可能に構成され、前記可動部材が非固定位置にある状態では前記規制部が前記第２の挟持部に接触することで取り付けが困難になる構成であることを特徴とする請求項６ないし８のいずれか１項に記載の遊技機に係る。
【００１７】
請求項１０の発明は、前記本体枠は前記可動部材をスライド移動可能に保持するレール部を備えることを特徴とする請求項１ないし９のいずれか１項に記載の遊技機に係る。
【００１８】
請求項１１の発明は、前記可動部材は固定位置と非固定位置との移動を容易にする指掛け部を備えることを特徴とする請求項１ないし１０のいずれか１項に記載の遊技機に係る。
【００１９】
請求項１２の発明は、前記本体枠は前記可動部材が固定位置と非固定位置を移動する際の抵抗となる乗り越え段部を備えることを特徴とする請求項１ないし１１のいずれか１項に記載の遊技機に係る。
【００２０】
請求項１３の発明は、前記本体枠は前記カバー部材を固着可能とする固着部を備え、前記カバー部材は、前記収納部材が前記第２状態のときに前記収納部材に係止可能な係止部を備えると共に前記本体枠の固着部に固着可能な被固着部を備えたことを特徴とする請求項１ないし１２に記載の遊技機に係る。
【発明の効果】
【００２１】
請求項１の発明に係る遊技機によると、本体枠と、遊技に関する制御を行う電気部材と電気的に接続可能な接続部材を設けた第１電気部材と、前記第１電気部材の前記接続部材と電気的に接続される第２電気部材と、前記第１電気部材を収納する収納部材と、前記収納部材を前記本体枠に取り付けるために前記本体枠に設けられたベース部材と、前記ベース部材に取り付けられた前記収納部材に収納された前記第１電気部材の少なくとも一部を覆うカバー部材とを備えた遊技機において、前記収納部材は係合部を形成すると共に前記ベース部材は前記係合部と係合する被係合部を形成し、前記収納部材が、前記収納部材の前記係合部と前記ベース部材の前記被係合部が係合していない第１状態から前記収納部材の前記係合部と前記ベース部材の前記被係合部が係合する第２状態に変位することによって、前記収納部材が前記ベース部材に係合し、前記本体枠は、前記収納部材が第２状態のときに前記収納部材の第１状態への変位を規制するため、前記収納部材の一端を固定する可動部材が設けられ、前記可動部材は、前記収納部材を第２状態で固定する固定位置と前記収納部材を第２状態あるいは第１状態へ変位可能とする非固定位置に移動可能であり、前記カバー部材は、前記収納部材あるいは前記本体枠の少なくとも一方に取り付け可能に構成され、前記カバー部材を取り付けた際に前記可動部材が固定位置から非固定位置へ移動することを規制する規制部を備え、前記可動部材の固定位置と非固定位置との移動が、前記収納部材の第１状態と第２状態との間の変位の方向と異なる方向に移動可能とする構成であるため、遊技機の背面側に装着される収納部材（制御基板ケース）が、遊技機に生じた衝撃により安易に脱離することの防止が可能となるとともに、収納部材の変位方向に同調して可動部材が位置ずれを起こすことがなくなり、収納部材のベース部材への固定をより強固にすることができる。
【００２２】
請求項２の発明に係る遊技機によると、請求項１の発明において、前記可動部材は切り欠き部を有し、前記カバー部材を前記収納部材に係止するとき前記規制部は前記可動部材の前記切り欠き部に位置することによって、前記可動部材の固定位置から非固定位置への移動を規制するため、ベース部材側から脱離するおそれが大幅に改善される。
【００２３】
請求項３の発明に係る遊技機によると、請求項１または２の発明において、前記可動部材は、前記収納部材を第２状態で固定するために前記収納部材の端部に設けられた固定片を挟持する挟持部を備えたため、挟持の構造を採用して極めて簡便に収納部材の端部側を保持し、固定することができる。
【００２４】
請求項４の発明に係る遊技機によると、請求項３の発明において、前記挟持部は、前記カバー部材を取り付けた際に可動部材固定位置から非固定位置に移動しようとするときに前記規制部と当接する当接部を備えたため、当接部に当接させる構成とすることで可動部材の非固定位置への移動をより確実に規制することができる。
【００２５】
請求項５の発明に係る遊技機によると、請求項３または４の発明において、前記カバー部材は、前記可動部材が固定位置にある状態の際に取り付け可能に構成され、前記可動部材が非固定位置にある状態では前記規制部が前記挟持部に接触することで取り付けが困難になる構成であるため、カバー部材の取付状態に応じて可動部材が収納部材を固定しているか否かを容易に把握することができ、固定し忘れを抑制することができる。
【００２６】
請求項６の発明に係る遊技機によると、請求項１の発明において、前記収納部材は、端部に第１の固定片及び第２の固定片を設けており、前記可動部材は、前記第１の固定片及び前記第２の固定片を挟持するための第１の挟持部及び第２の挟持部をそれぞれ備えると共に、前記第１の挟持部と前記第２の挟持部の間に前記第１の固定片が移動可能な切り欠き部を備え、前記収納部材が第１状態の際、前記可動部材が前記固定位置にある状態では前記第１の固定片が前記第１の挟持部に当接することにより第２状態への変位を困難にする一方、前記可動部材が前記非固定位置にある状態では前記固定片が前記切り欠き部に位置することによって前記収納部材を第２状態へ変位可能になるように構成したため、収納部材は、可動部材による挟持と規制部による可動部材の移動規制の両方の作用を受けるため、ベース部材側から脱離するおそれが大幅に改善される。
【００２７】
請求項７の発明に係る遊技機によると、請求項６の発明において、前記可動部材が非固定位置にある状態では前記第２の挟持部が前記第１の固定片を摺動させる摺接面を構成するため、収納部材のベース部材側への装着作業が容易にできる。
【００２８】
請求項８の発明に係る遊技機によると、請求項７の発明において、前記第２の挟持部は、カバー部材を取り付けた際に可動部材固定位置から非固定位置に移動しようとすると前記規制部と当接する当接部を備えたため、当接面に当接させる構成とすることで可動部材の非固定位置への移動をより確実に規制することができる。
【００２９】
請求項９の発明に係る遊技機によると、請求項６ないし８のいずれかの発明において、前記カバー部材は、前記可動部材が固定位置にある状態の際に前記規制部が前記可動部材の切り欠き部に位置することで取り付け可能に構成され、前記可動部材が非固定位置にある状態では前記規制部が前記第２の挟持部に接触することで取り付けが困難になる構成であるため、カバー部材の取付状態に応じて可動部材が収納部材を固定しているか否かを容易に把握することができ、固定し忘れを抑制することができる。
【００３０】
請求項１０の発明に係る遊技機によると、請求項１ないし９のいずれかの発明において、前記本体枠は前記可動部材をスライド移動可能に保持するレール部を備えるため、部品数を減らしても可動部材のスライド移動を実現することができる。
【００３１】
請求項１１の発明に係る遊技機によると、請求項１ないし１０のいずれかの発明において、前記可動部材は固定位置と非固定位置との移動を容易にする指掛け部を備えるため、上下方向の移動を容易にすることができる。
【００３２】
請求項１２の発明に係る遊技機によると、請求項１ないし１１のいずれかの発明において、前記本体枠は前記可動部材が固定位置と非固定位置を移動する際の抵抗となる乗り越え段部を備えるため、簡単に可動部材が降下せず、遊技機の保守、点検の際、常時、可動部材を非固定位置に保持しておく必要がなく、作業に支障を来さない。
【００３３】
請求項１３の発明に係る遊技機によると、請求項１ないし１２のいずれかの発明において、前記本体枠は前記カバー部材を固着可能とする固着部を備え、前記カバー部材は、前記収納部材が前記第２状態のときに前記収納部材に係止可能な係止部を備えると共に前記本体枠の固着部に固着可能な被固着部を備えたため、規制部自体に生じる不用意な位置の変化を抑制することができる。
【図面の簡単な説明】
【００３４】
【図１】本発明の一実施例に係る遊技機の正面図である。
【図２】図１の遊技機の背面図である。
【図３】基板保護カバーを外した背面斜視図である。
【図４】図３のカバー部材を外した背面斜視図である。
【図５】図４から接続部を外した背面斜視図である。
【図６】カバー部材の正面及び斜視図である。
【図７】図５から制御基板ケースを外した背面斜視図である。
【図８】ベース部材の拡大斜視図である。
【図９】制御基板ケースの背面斜視図である。
【図１０】制御基板ケースの上面図である。
【図１１】制御基板ケースとベース部材の係合の様子を示す概略図である。
【図１２】可動部材の全体斜視図である。
【図１３】可動部材とその周囲の第１部分拡大図である。
【図１４】可動部材とその周囲の第１部分断面図である。
【図１５】可動部材とその周囲の第２部分拡大図である。
【図１６】可動部材とその周囲の第２部分断面図である。
【図１７】可動部材とその周囲の第３部分拡大図である。
【図１８】可動部材とその周囲の第３部分断面図である。
【発明を実施するための形態】
【００３５】
図１に示す遊技機１はこの発明の一実施例に係るパチンコ遊技機（弾球遊技機）である。以下、当該弾球遊技機を遊技機１の例として説明する。遊技機１の本体枠２内に遊技盤３が着脱交換可能に収納される。遊技盤３に向けて弾発発射された遊技球を遊技領域６へ誘導する外側ガイドレール４及び内側ガイドレール５が略円形に立設される。内側ガイドレール５に囲まれた遊技領域６の上部から下部に向けて順に実施例における遊技装置である表示装置２０、第１始動入賞口１１、第２始動入賞口１２、大入賞口（アタッカー）１６、図示しないアウト口が配設される。第２始動入賞口１２には可動片１０が備えられ、第１大入賞口１６には開閉板１７が備えられる。表示装置２０の左側に普通図柄変動開始用ゲート２５、風車２６が設けられ、その下方に左袖入賞口２３、左落とし入賞口２４が配設される。
【００３６】
図１の遊技機１の前面側には、遊技状態を報知するランプ表示器３５，３６、払い出された遊技球を貯留するための上側貯留皿３２、上側貯留皿３２を取り付けるための取付板３３、上側貯留皿３２の飽和時の遊技球等を受けるための下側貯留皿３４、遊技領域上側に設置され音声や効果音を発して遊技状態を遊技者に報知するスピーカ３７、遊技者による操作ハンドル８（操作手段）等がそれぞれ組み付けられている。遊技機１の最前面側には装飾枠７が装着され、装飾枠７にガラス板等の透明板Ｃｂが収納される。遊技領域６は遊技盤３と透明板Ｃｂとの間に形成される。前記の入賞口に遊技球が入ったことに起因して所定数の賞球が払い出される。
【００３７】
表示装置２０は、液晶、ドットマトリックスもしくはＬＥＤ表示装置等の表示装置からなり、実施例ではカラー表示可能な液晶表示器（ＴＦＴ−ＬＣＤモジュール）等の画像表示装置２１を備える。画像表示装置２１は、数字、アルファベット、記号あるいは絵（キャラクタ）等の普通図柄または特別図柄を変動表示及び停止表示可能としている。実施例の弾球遊技機の普通図柄は０〜４９の数字、特別図柄は０〜９の数字が３桁で表示される（図示省略）。表示装置２０の周囲には前飾り部材２２が配置される。前飾り部材２２（区画部材）の左側に装飾可動片１５が備えられ、遊技球が前飾り部材２２内部へ誘導されるか否か振り分けられる。
【００３８】
遊技球は、操作ハンドル８の回動操作による弾発力制御を受けて駆動する発射モータ（図示せず）と、この発射モータの駆動により間欠的に揺動して遊技球を弾発発射する打球杆（図示せず）により、外側ガイドレール４及び内側ガイドレール５に囲まれた領域に発射される。遊技者により操作ハンドル８が握持されると、遊技者の生体電流はタッチスイッチ等により検知され、発射装置制御基板の制御を受け発射モータは駆動される。発射された遊技球は、外側ガイドレール４及び内側ガイドレール５を経由して遊技領域６へ誘導され、遊技領域６を転動しつつ下方へ落下し、各入賞口に入賞するか、あるいは何処にも入賞しなければアウト口から遊技板３の裏側へ排出される。
【００３９】
図２は遊技機１の背面図である。本体枠２内に装着される遊技盤３の背面側の大半は、基板保護カバー体４０により覆われて保護される。基板保護カバー体４０により、メイン制御基板、サブ制御基板、画像制御基板、音声・発光制御基板等の各種の制御基板が保護される。これらの制御基板（本実施例では制御基板が電気部材に相当する）は基板自体を保護する樹脂製の制御基板ケース内（本実施例では制御基板ケースが収納部材に相当する）に収納され、本体枠２内の所定位置に装着される（図示省略）。
【００４０】
図２の上方から紙面右回りに遊技球を貯留する貯留タンク４１、賞球等を供給する遊技球供給部４２、遊技情報を出力する外部端子４３、プリペイドカードユニットと接続するカードインターフェース接続部４４、遊技機の主電源となるメインスイッチ４５、初期化スイッチ４８、各種エラー表示を解除するエラー解除スイッチ４６、基板保護カバー体４０の回動軸となるカバーヒンジ部４７が備えられる。そして、基板保護カバー体４０の下部にカバー部材５０が備えられる。符号３８はロック機構、３９はロック機構により可動するロックレバー部、９０は接続部材である。
【００４１】
図３は前記の基板保護カバー体４０を本体枠２から取り外した状態である。本体枠２の中央に形成された基板装着部位Ｆｉに前記の各制御基板が装着される。カバー部材５０の前後方向には、遊技に関し遊技球の払い出しを制御する払出制御基板６５（後出図９参照）、その前後方向に重ねて遊技機全体の電源供給を制御する電源制御基板（図示せず）が配置している。本体枠の上部に設けられたフック部２ｈは、前出の装飾枠７を係止すると共に、フック部を支点に回動自在に軸支する。装飾枠７の軸支されていない他端側は、ロック機構３８の操作により上下動するロックレバー部３９によって着脱自在に本体枠２に係着される。
【００４２】
接続部材９０は制御基板同士を電気的に接続するハーネスであり、例えば、電源制御基板と払出制御基板、電源制御基板とメイン制御基板、メイン制御基板と画像制御基板等、制御基板の数に応じて随時接続部材９０（ハーネス）を用いて接続される。接続部材９０の末端には制御基板との接続を容易にするためのハーネスコネクタ部９１が備えられる。接続部材９０はリング状のハーネス止め部材９５により適宜本数に束ねられる。
【００４３】
図４はカバー部材５０を本体枠２から取り外した状態である。図示のとおり、カバー部材５０直下には制御基板ケース６０が設置される。実施例の制御基板ケース６０内には、第１電気部材として払出制御基板６５（後出図９参照）が収納されている。制御基板ケース６０とその直下の制御基板（電源制御基板）は接続部材９０（ハーネス）により互いに接続される。
【００４４】
図５は前出の図４より制御基板ケース６０周辺の接続部材９０を外した状態である。制御基板ケース６０と本体枠２は、制御基板ケース６０とベース部材７０との係合と同制御基板ケース６０の固定片６６と本体枠２側の可動部材８０との係止によって安定して固定される。
【００４５】
図６（ａ）はカバー部材５０自体の正面図であり図２と対応し、図６（ｂ）はカバー部材の背面側からの斜視図である。カバー部材５０の下部にはねじ止め穴５１が備えられる。この例のカバー部材５０は、ねじにより本体枠２に安易に脱離しないように固定される。カバー部材の上部に、実施例では係止部として係止爪部５２が備えられ本体枠２側に係合した制御基板ケースの上部に係止可能になっている。係止爪部５２が備えられることにより、本体枠２側との上方との安定した係止が可能となる。カバー部材の大半はカバー面部５３により構成され、当該カバー部材直下の制御基板ケース６０（払出制御基板６５）の正面部分が被覆により保護される。さらに、カバー面部５３の下部にカバー底面部５４も設けられ、制御基板ケース６０の下部位置が被覆により保護される。また、カバー部材５０の内部には規制部５５が設けられる。この規制部５５はカバー部材５０を係止した際に前記の可動部材８０と関連（当接）することから、可動部材の動きは規制される（図１８参照）。また、実施例ではカバー部材は制御基板ケースと共に制御基板ケースに収納される払出制御基板に接続される配線部材を覆い、配線部材を保護する役割もある。
【００４６】
図７は前出の図５から制御基板ケース６０を取り外した状態であり、図８はその拡大図となる。制御基板ケース６０（払出制御基板の制御基板ケース）は表ケース部６１及び裏ケース部６２から形成され、同制御基板ケースの端部６０ｅに固定片６６として第１の固定片６６ａと第２の固定片６６ｂが備えられる（図９参照）。本体枠２側において、制御基板ケース６０が取り付けられる部位はベース部材７０である。実施例の遊技機１では、ベース部材７０自体も、第２制御基板となる電源制御基板（図示せず）を収納する制御基板ケースであり、本体枠２に直接取り付けられ当該本体枠の一部を構成している。ベース部材７０側で制御基板ケース６０と接する部位は設置面部７２である。
【００４７】
図８を用いてさらに詳しく説明する。設置面部７２には被係合部７３が複数箇所（実施例では３箇所）設けられ、後出する制御基板ケース６０の基板ケース係合部６３との係合に用いられる。ベース部材７０を電源制御基板の制御基板ケースとしていることから、放熱のための排気口を有するベース側面部７４により囲まれる。可動部材８０はベース部材７０の紙面左側の可動部材収容部７５に上下のスライド移動可能に収納される。可動部材８０はその左右が本体枠２側に備えられたレール部７６により摺動自在に挟持されるため、上下のスライド移動が可能となる。なお、可動部材収容部７５の大きさにより可動部材８０のスライド移動量は規制される。図８において符号７１は固着部となるねじ受け穴であり、前出のカバー部材５０のねじ止め穴５１と重ねられた後にねじが挿入され、カバー部材５０は本体枠２に固定される。むろん、ねじ以外の固定手段を用いてもよい。
【００４８】
図９は制御基板ケース６０の背面側からの斜視図であり図１０は同ケースの下面図である。裏ケース部６２に鉤状の基板ケース係合部６３が複数個備えられる。基板ケース係合部６３の先端には、差し込み固定のための係止片部６４が設けられる。制御基板ケース６０、この例では表ケース部６１の端部６０ｅに可動部材８０との係合に用いられる第１の固定片６６ａと第２の固定片６６ｂが設けられる。第１及び第２の固定片６６ａ，６６ｂには可動部材８０との係合を容易にするため、板状の第１の舌片部６７ａ、第２の舌片部６７ｂが配される。
【００４９】
図１０からわかるように、実施例の制御基板ケース６０は第１電気部材となる払出制御基板６５（図１０参照）を収納するケースである。払出制御基板６５等は裏ケース部６２の所定位置に載置された後、表ケース部６１が組み合わされる。こうして払出制御基板６５は制御基板ケース６０の中に収納される。払出制御基板６５はＣＰＵ、ＲＯＭ、ＲＡＭ、その他ＩＣ、コンデンサ等の電子部品（いずれも図示省略）がはんだ付けされた回路基板である。そこで、これらの電子部品への電力や他の制御基板からのコマンドの入力、及び当該払出制御基板からのコマンドの出力は前記の接続部材９０（ハーネス）を介して行われる。払出制御基板６５の制御基板ケース６０において、接続部材９０のハーネスコネクタ部９１は基板側コネクタ部９２に接続される。複数の接続部材の着脱は一括して行われる。
【００５０】
図１１の模式図は、実施例における制御基板ケース６０とベース部材７０との係合状態の概略である。図１１（ａ）では、制御基板ケース６０が本体枠２側のベース部材７０に固定されていない状態である。続く図１１（ｂ）では、ベース部材７０の設置面部７２に制御基板ケース６０の裏ケース部６２が重ねられ、基板ケース係合部６３と被係合部７３の位置合わせが行われる。図１１（ａ）及び（ｂ）では、制御基板ケース６０の基板ケース係合部６３（係止片部６４）とベース部材７０の被係合部７３が互いに離れており、双方が係合していない「第１状態」である。
【００５１】
最終的な図１１（ｃ）では、被係合部７３の開口部７３ｏに向けて基板ケース係合部６３（係止片部６４）が滑り込み（スライド移動）により差し込まれる。つまり、制御基板ケース６０の基板ケース係合部６３（係止片部６４）と、ベース部材７０の被係合部７３が係合している「第２状態」である。図示のとおり、制御基板ケース６０が第１状態から第２状態へ変位することにより、制御基板ケース６０のベース部材７０への係合固定が完了する。図中の符号ＥＢは電源制御基板である。
【００５２】
図８のベース部材７０における被係合部７３の開口方向と、図９，１０の制御基板ケース６０の基板ケース係合部６３（係止片部６４）の突出方向から把握されるとおり、当該実施例では、制御基板ケース６０の第１状態と第２状態との間の変位の方向は、遊技機の左右方向である。
【００５３】
図１２は可動部材８０の全体斜視図である。可動部材８０には、台板部８１から板状の小片が突出するように第１の挟持部８３ａと第２の挟持部８３ｂが備えられる。台板部８１に設けられた２箇所の挟持部（フック部）８３に挟まれた部分がちょうど窪んだ部分となる。当該部分が可動部材８０における切り欠き部８２となる。２箇所の挟持部８３（８３ａ，８３ｂ）と台板部８１に挟まれた部分は挟持領域８５であり、前記の制御基板ケース６０の２箇所の固定片６６（６６ａ，６６ｂ）に設けられた板状の舌片部６７，６７は第１及び第２の挟持部８３ａ，８３ｂにより挟まれ挟持領域８５内に保持される。そして固定片６６（６６ａ，６６ｂ）を制御基板ケースの制御基板ケース６０とベース部材７０との係合解除方向側（取り付け方向側）に設け、固定片６６の舌片部６７を挟む構造とすることにより、極めて簡便に制御基板ケースの端部側を保持し、固定することができる。また、第２の挟持部８３ｂは切り欠き部８２の直下であり、カバー部材５０の規制部５５と当接可能な当接部（当接面）８８を備えている。なお、当接部８８は後記する摺接面８９を兼ねる。
【００５４】
可動部材８０の台板部８１の長手方向の左右は摺動部８６である。そこで可動部材８０は摺動部８６を介してレール部７６に挟持されることにより、本体枠２側にスライド移動可能に取り付けられる（図８参照）。従って、部品数を減らしても可動部材のスライド移動を実現することができる。
【００５５】
図８及び後出の図示から把握されるように、本実施例では可動部材８０の移動方向は制御基板ケースの移動方向（遊技機１の左右方向）とは異なる方向（遊技機１の上下方向）であるため、制御基板ケースの移動方向に同調して可動部材が移動することが抑制され、制御基板ケースのベース部材への固定をより強固にすることができる。また、可動部材８０では上下方向の移動を容易にするため、第１の挟持部８３ａに指掛け部８４が備えられる。遊技機の背面側は各種のカバー等が設けられていることから自由に手を入れることができない。そこで、保守、点検時に指掛け部８４を操作すれば簡単に可動部材８０を動かすことができる。また、可動部材８０では、台板部８１を貫通する窓部８７も形成されている。窓部８７は後出の乗り越え段部７８との当接するためである（図１４等参照）。
【００５６】
これより図１３ないし図１８を用い、制御基板ケース６０をベース部材７０に固定した際における可動部材８０の移動の様子を説明する。図１３、１５、１７は可動部材８０及びその周囲を含む部分拡大図である。図１４、１６、１８は可動部材８０及びその周囲を含む部分断面図である。断面図において可動部材８０を識別しやすくするため、太実線で表した。
【００５７】
図１３及び図１４は、制御基板ケース６０がベース部材７０に装着されて制御基板ケース６０が第２状態となった直後の状態である。つまり、可動部材８０の挟持部８３と制御基板ケース６０に設けられた固定片６６（図１３の鎖線の塗りつぶし）の位置関係では、第１の挟持部８３ａは第１の固定片６６ａの上方に位置し、第２の挟持部８３ｂは第２の固定片６６ｂの上方に位置している。図１４からわかるように、舌片部６７は挟持部８３の挟持領域８５内に挟持されていない。この位置の可動部材８０は「非固定位置」である。また可動部材８０が「非固定位置」にある状態では、制御基板ケース６０の端部側は固定片６６を介して可動部材８０に固定されておらず、図示時点での制御基板ケース６０は第１状態と第２状態との間で変位可能である。
【００５８】
可動部材８０に備えられた第２の挟持部８３ｂの当接部（当接面）８８は第１の固定片６６ａを支持すると共に摺接面８９を構成している。このため、制御基板ケース６０をベース部材７０側に装着しようとする場合、第２の挟持部８３ｂの当接部（当接面）８８（摺接面８９）を目標に制御基板ケース６０の第１の固定片６６ａを位置合わせすることができる。そこで、制御基板ケース６０をベース部材７０側に押し当て、制御基板ケース６０をベース部材７０上でスライド移動させることができる（図１１参照）。つまり、非固定位置にある可動部材８０の摺接面８９を目安に第１の固定片６６ａをすべり込ませることを可能としている。よって、制御基板ケース６０のベース部材７０側への装着作業は容易となる。
【００５９】
図１５及び図１６は、制御基板ケース６０がベース部材７０に装着されて制御基板ケース６０が第２状態となった後、可動部材８０が降下して鉤部８３の挟持部８５内に制御基板ケース６０に設けられた固定片６６（舌片部６７）が挟持された状態である（特に図１６参照）。この位置の可動部材８０が「固定位置」である。可動部材８０の挟持部８５と固定片６６の舌片部６７の間による固定によって、制御基板ケース６０の端部側も可動部材８０により固定される。そこで、制御基板ケース６０がベース部材７０と係合している状態（第２状態）のときに制御基板ケース６０とベース部材７０との係合解除状態（第１状態）への変位は規制される。
【００６０】
実施例に開示の制御基板ケース６０の第１状態と第２状態との間の変位の方向は遊技機の左右方向である（図８、９等参照）。これに対し可動部材８０の固定位置と非固定位置の移動方向は遊技機の上下方向である（図１３ないし１６等参照）。すなわち、制御基板ケース６０の変位の方向（左右）と、可動部材８０の移動の方向（上下）は自明ながら異なる方向である。制御基板ケース６０の変位方向に沿って衝撃が生じたとしても、可動部材８０の移動方向が異なるため制御基板ケースの変位方向に同調して位置ずれを起こすことはない。従って、制御基板ケース６０のベース部材７０への固定をより強固にすることができる。
【００６１】
また、実施例のベース部材７０にあっては、可動部材８０の移動方向に沿って小突起からなる乗り越え段部７８が複数形成されている。図１４の可動部材８０の非固定位置では、乗り越え段部７８は、台板部８１の下端と切り欠き部８２の反対側に当接する。このことから、一時的に可動部材８０は非固定位置で留め置かれる（仮置きとなる）。図１６の可動部材８０の固定位置では、乗り越え段部７８は、切り欠き部８２の反対側と台板部８１の上端をわずかに上方に超えた位置にある。乗り越え段部７８自体の突出量は、小さくレール部７６と摺動部８６とのスライド移動可能な隙間を考慮し、可動部材８０の移動には支障を来さない程度に設定される。乗り越え段部７８が備えられているため、簡単に可動部材が降下せず、遊技機の保守、点検の際、常時、可動部材を非固定位置に保持しておく必要がなく、作業に支障を来さない。
【００６２】
図１７及び図１８は、可動部材８０が固定位置となった後に、前記のカバー部材５０が制御基板ケース６０上に被せられ係止している状態である。図１５との比較から明らかなように制御基板ケース６０の大半がカバー部材５０により被覆される。前述の乗り越え段部７８は主に可動部材８０の移動の仮止めに用いられるのみであり、可動部材８０の移動を規制するほど強力に作用しない。そこで、図１８に示すように、カバー部材５０の内部の規制部５５（図６（ｂ）参照）が、可動部材８０の切り欠き部８２に位置している。図示のとおり、規制部５５は第１の挟持部８３ａと第２の挟持部８３ｂの間に位置し、「非固定位置」に移動すると切り欠き部８２の直下の第２の挟持部８３ｂの当接面８８に当接可能となる。結果として、第２の挟持部８３ｂを有する可動部材８０は規制部５５の抵抗を受けて固定位置から非固定位置への移動が規制される。つまり制御基板ケースを固定する可動部材で取り外し困難にし、さらにカバー部材を使って可動部材の移動を規制することにより、制御基板ケースが移動しないようにしている。よって制御基板ケースを取り外し困難にするために複数の構成（二重以上の構成）を有している。そこで、制御基板ケースの移動の規制を強化することが可能となる。また、カバー部材は配線部材あるいは配線部材の接続部を保護すると共に規制部により可動部材の移動を規制するため、カバー部材を効率良く使用した構成とすることが可能となる。
【００６３】
さらに、カバー部材５０はねじにより本体枠２に強固に固定される。そのため、規制部５５の位置は不用意に変化しない。いったん可動部材８０が固定位置となってカバー部材５０が被せられた後は、遊技機１自体、もしくは本体枠２に振動や衝撃が生じたとしても、制御基板ケース６０は、可動部材８０による挟持と、カバー部材５０の規制部５５による可動部材８０の移動規制の両方の作用を受ける。このため、単に可動部材８０のみによる制御基板ケース６０の固定と比較すると、制御基板ケース６０は極めて安定してベース部材７０に取り付けられ、安易にベース部材７０側から脱離するおそれが大幅に改善される。よって、遊技機の保守、点検時に生じる振動や衝撃に対しても非常に有効である。その際規制部は第２の挟持部との接触面をリブ状に形成することで規制部が補強され、規制部の破損を抑制することが可能となる。また、可動部材８０が「非固定位置」にある場合、カバー部材５０の内部の規制部５５は可動部材８０の第２の挟持部８３ｂと接触することで規制部が切り欠き部に位置するよりも浮いた状態（嵌っていない状態）となることから、カバー部材５０の取付位置が中途半端となり係止が困難になる。このため、可動部材８０の取付状態を容易に確認することができる。
【００６４】
本発明は実施例に図示した構成に限定されることはなく、発明の趣旨を逸脱しない限り他の遊技機にも適用することができる。例えば、収納部材を制御基板ケースとしたが、収納部材が収納するものは制御基板に限定する必要はなく、モータ等の電気的駆動源などを収納する部材にも適用される。そして収納部材の形状は問わず、電気部材全てを覆う必要はない。また、第１電気部材を払出制御基板とし、第２電気部材を電源制御基板としたが、これ以外に、例えば、メイン制御基板、サブ制御基板、または画像制御基板の間や、制御基板以外のモータをはじめとする電気的駆動源等の電気的に接続可能な電気部材の接続形態にも当然に適用できる。また、開示のパチンコ遊技機のみの適用に限られることはなく、アレンジボール遊技機、スロットマシン等の適宜の遊技機にも適用することができる。
【符号の説明】
【００６５】
１  遊技機
２  本体枠
３  遊技盤
４０  基板保護カバー体
５０  カバー部材
５１  ねじ止め穴
５５  規制部
６０  制御基板ケース（収納部材）
６３  基板ケース係合部（係合部）
６４  係止片部
６５  払出制御基板（第１電気部材）
６６  固定片
６６ａ  第１の固定片
６６ｂ  第２の固定片
６７  舌片部
７０  ベース部材
７１  ねじ受け穴（固着部）
７３  被係合部
７６  レール部
７８  乗り越え段部
８０  可動部材
８１  台板部
８２  切り欠き部
８３  挟持部
８３ａ  第１の挟持部
８３ｂ  第２の挟持部
８４  指掛け部
８７  窓部
８８  当接部（当接面）
８９  摺接面
９０  接続部材（ハーネス）
９１  ハーネスコネクタ部
【図１】
0005179558.tif 000002
【図２】
0005179558.tif 000003
【図３】
0005179558.tif 000004
【図４】
0005179558.tif 000005
【図５】
0005179558.tif 000006
【図６】
0005179558.tif 000007
【図７】
0005179558.tif 000008
【図８】
0005179558.tif 000009
【図９】
0005179558.tif 000010
【図１０】
0005179558.tif 000011
【図１１】
0005179558.tif 000012
【図１２】
0005179558.tif 000013
【図１３】
0005179558.tif 000014
【図１４】
0005179558.tif 000015
【図１５】
0005179558.tif 000016
【図１６】
0005179558.tif 000017
【図１７】
0005179558.tif 000018
【図１８】
0005179558.tif 000019